(57)【要約】【課題】  無線通信動作の切替の簡略化を図った電子機器及び無線通信方法を提供する。【解決手段】  通信機器１は、ディスプレイ３と、通信アンテナ７と、通信制御部８と、加速度センサ９とを備える。通信機器１においてディスプレイ３が設けられている面を前面１４、前面１４の反対側を通信面１５とする。通信制御部８は、加速度センサ９により通信機器１の向き検出し、通信面１５が鉛直方向の下方向に向いている場合に送信モードと設定し、通信面１５が上方向に向いている場合に受信モードと設定する。【選択図】  図５
2011193499.tif 000002
【特許請求の範囲】
【請求項１】
第１の無線通信動作または第２の無線通信動作のいずれかで無線通信動作が可能な無線通信部と、
前記無線通信部が収容された筐体の向きに関する情報を検出する向き検出部と、
前記向き検出部により検出された前記筐体の向きに応じて、前記無線通信部の無線通信動作を切り替える制御部と、
を有する電子機器。
【請求項２】
前記制御部は、
前記向き検出部により、前記筐体の第１の向きが検出された場合、第１の無線通信を実行し、前記第１の向きと異なる前記筐体の第２の向きが検出された場合、前記第１の無線通信とは異なる第２の無線通信を実行する請求項１記載の電子機器。
【請求項３】
前記無線通信部で実行している無線通信状況を表示する表示部を更に有する請求項１記載の電子機器。
【請求項４】
第１の無線通信動作または第２の無線通信動作のいずれかで無線通信を実行し、
前記無線通信を行う無線通信部が収容された筐体の向きに関する情報を検出し、
前記検出された前記筐体の向きに応じて前記無線通信部の無線通信動作を切り替える無線通信方法。
【請求項５】
前記筐体の第１の向きが検出された場合は第１の無線通信を実行し、
前記第１の向きと異なる前記筐体の第２の向きが検出された場合は前記第１の無線通信とは異なる第２の無線通信を実行する請求項４記載の無線通信方法。
【請求項６】
前記無線通信部で実行している無線通信状況を表示する請求項４記載の無線通信方法。
【発明の詳細な説明】
【技術分野】
【０００１】
本発明は電子機器及び無線通信方法に関する。
【背景技術】
【０００２】
携帯端末に様々な情報を記憶するようになり、携帯端末に記憶されたデータをバックアップとしてＰＣ等の電子機器へ転送したり複製したりすることが行われている。このデータの送信操作の簡便化を図るものとして、送信側の携帯端末が所定の角度以上傾けられたことを検出した場合にデータを送信するものが開示されている（例えば、特許文献１参照）。
【先行技術文献】
【特許文献】
【０００３】
【特許文献１】特開２００７−１９３５４６号公報
【発明の概要】
【発明が解決しようとする課題】
【０００４】
しかし、上述の技術は、データ送信側の端末装置についてのものであり、データ受信側については述べられていない。データ送受信は、データ送信側の装置をデータ送信モードに設定し、且つデータ受信側の装置をデータ受信モードにすることで実行される。即ちデータ送受信を簡略化するためには、データ受信側の端末装置の操作についてもデータ受信モードへの移行を容易にすることが必要である。
【０００５】
本発明は、上述した点に鑑みてなされたものであり、無線通信動作の切替の簡略化を図った電子機器及び無線通信方法を提供することを目的とする。
【課題を解決するための手段】
【０００６】
上記目的を達成するために、本発明に係る電子機器は、第１の無線通信動作または第２の無線通信動作のいずれかで無線通信動作が可能な無線通信部と、前記無線通信部が収容された筐体の向きに関する情報を検出する向き検出部と、前記向き検出部により検出された前記筐体の向きに応じて、前記無線通信部の無線通信動作を切り替える制御部と、を有することを特徴としている。
【０００７】
また、本発明に係る無線通信方法は、第１の無線通信動作または第２の無線通信動作のいずれかで無線通信を実行し、前記無線通信を行う無線通信部が収容された筐体の向きに関する情報を検出し、前記検出された前記筐体の向きに応じて前記無線通信部の無線通信動作を切り替えることを特徴としている。
【発明の効果】
【０００８】
本発明によれば、無線通信動作の切替の簡略化を図った電子機器及び無線通信方法を提供することができる。
【図面の簡単な説明】
【０００９】
【図１】本発明に係る第１の実施の形態における通信機器の前面側からの外観図。
【図２】本発明に係る第１の実施の形態における通信機器の通信面側からの外観図。
【図３】本発明に係る第１の実施の形態における通信機器の通信状態を示す図。
【図４】本発明に係る第１の実施の形態における通信機器の内部構造を示した図。
【図５】本発明に係る第１の実施の形態における通信機器の機能ブロック図。
【図６】本発明に係る第１の実施の形態における通信機器の通信制御手順のフローチャートを示す図。
【図７】本発明に係る第２の実施の形態における通信機器の通信状態を示す図。
【図８】本発明に係る第３の実施の形態における通信機器の通信状態を示す図。
【図９】本発明に係る第３の実施の形態における通信機器の通信制御手順のフローチャートを示す図。
【発明を実施するための形態】
【００１０】
以下、図１〜図９を用いて、本発明の実施の形態について説明する。
【００１１】
本発明に係る電子機器として、通信機器１を例に説明をする。通信機器１とは例えば、モバイルＰＣ、ＵＭＰＣ（ＵｌｔｒａＭｏｂｌｅ−ＰＣ）、ＰＤＡ（Ｐｅｒｓｏｎａｌ  Ｄｅｇｉｔａｌ  Ａｓｓｉｓｔａｎｔ）、携帯電話等である。以下に説明する本実施の形態においては、通信機器１は箱状の筐体を有する機器として説明するが、これに限定されることはない。即ち、ディスプレイユニットと本体ユニットを別筐体に収納し、回動機構を備えた機器でも良い。
【００１２】
図１乃至図３を用いて、通信機器１の構成について説明する。通信機器１を区別する必要がある場合には通信機器１Ａ、通信機器１Ｂとして区別するが、特に区別する必要がない場合には通信機器１と称する。
【００１３】
図１は、本発明に係る第１の実施の形態における通信機器１の前面１４側からの外観図である。通信機器１は、筐体２と、ディスプレイ３と、スピーカ５と、通信アンテナ７と、加速度センサ９と、入力部１１とを備える。本発明に係る第１の実施の形態においては、ディスプレイ３が設けられる面を通信機器１の前面１４とし、前面１４の反対側を背面１５と呼ぶ。鉛直方向の真上から通信機器１を見た場合に、前面１４が見える状態を通信機器１の表向きと定義する。一方、鉛直方向の真上から通信機器１を見た場合に、背面１５が見える状態を通信機器１の裏向きと定義する。
【００１４】
筐体２は、筐体カバー２Ａと、筐体ベース２Ｂとが嵌合して組み立てられる。筐体２の内部には、各種の電子部品が収納される。
【００１５】
ディスプレイ３は、筐体カバー２Ａの中央部を切り欠いた中央部分に設けられ、通信機器１にて送受信するデータ等を表示する。ディスプレイ３の前面には、タッチパネル３Ａが積層される。ディスプレイ３に表示される情報に、タッチパネル３Ａを介して触れると、それに応じた操作信号の入力を行う入力デバイスである。尚、タッチパネル３Ａに代えて、例えばペンによる位置指示が可能なタブレット（デジタイザ）を用いても良い。
【００１６】
スピーカ５は、筐体２の側面に露出して備えられ、通信機器１にて再生するデータに対応した音声や操作音等を出力する。
【００１７】
通信アンテナ７は、他の通信機器１と無線通信を行い、データの送受信を行うことができるように構成されるアンテナである。
【００１８】
加速度センサ９は、通信機器１の加速度を検出するセンサである。加速度センサ９としては、例えば、加速度によって移動する可動部と、バネと、この移動距離により静電容量を変化させる電極を備えるものがある。この静電容量の変化から生成する信号を、状態検出部１０に出力する。
【００１９】
状態検出部１０は、加速度センサ９で検出した通信機器１の加速度を示すデータに適切な信号処理を行うことによって、通信機器１の傾きや動き、また通信機器１にかかる振動や衝撃等を検出する。本実施の形態においては、状態検出部１０は、向き検出部１０Ａと、移動検出部１０Ｂとを備える。
【００２０】
入力部１１は、筐体カバー２Ａを切り欠いた部分に設けられ、ユーザからの各種の操作
を受け付けるボタンである。
【００２１】
図２は、本発明に係る第１の実施の形態における通信機器１の背面１５側からの外観図である。通信アンテナ７は筐体２内に収容されている。通信アンテナ７の通信方向は、背面１５に対して前面１４と反対側に向かう方向であり、図２に示すＺ軸の正の方向である。このＺ軸方向に、背面１５同士を対向させた状態で無線通信を実行する。
【００２２】
図３は、本発明に係る第１の実施の形態における通信機器１の通信状態を示す図である。通信機器１Ａと通信機器１Ｂの背面１５同士を対向させた状態で無線通信を行う。本発明に係る第１の実施の形態において、無線通信としては、数センチの通信距離で行う無線通信を想定する。
【００２３】
図４は、本発明に係る第１の実施の形態における通信機器１の内部構造を示した図である。通信機器１を裏向きに位置させた状態で、筐体ベース２Ｂを取り外した状態を示している。筐体２内部には、スピーカ５と、通信アンテナ７と、加速度センサ９と、ＨＤＤ１２とが収容されている。
【００２４】
ＨＤＤ１２には、通信アンテナ７を介して送受信を行うデータを格納する。ＨＤＤ１２は、無線通信を介して送受信を行うデータを格納する指定フォルダを備える。通信機器１の通信モードが送信モードである場合、指定フォルダ内のファイルを通信相手の通信機器１に対して送信する。即ち、通信制御部８は、送信モードにおいては、ＨＤＤ１２の指定フォルダに格納されているファイルデータを読み出して、通信アンテナ７に対して出力する。また、通信機器１の通信モードが受信モードである場合、通信相手から送信されるファイルデータを指定フォルダ内に格納する。即ち、通信制御部８は、受信モードにおいて
は、通信アンテナ７にて受信したファイルデータを、ＨＤＤ１２の指定フォルダに格納する。
【００２５】
図５は、本発明に係る第１の実施の形態における通信機器１の機能ブロック図である。
【００２６】
通信機器１は、ディスプレイ３と、表示制御部４と、スピーカ５と、音声制御部６と、通信アンテナ７と、通信制御部８と、加速度センサ９と、状態検出部１０と、入力部１１と、ＨＤＤ１２と、制御部１３とを備える。
【００２７】
ディスプレイ３は、表示制御部４から受信した映像信号に基づいて、映像を表示する。
【００２８】
表示制御部４は、制御部１３から入力される制御信号に基づいて映像信号を生成し、この映像信号をディスプレイ３に出力する。
【００２９】
スピーカ５は、音声制御部６から受信した音声信号に基づいて、音声を出力する。
【００３０】
音声制御部６は、制御部１３から入力される制御信号に基づいて音声信号を生成し、この音声信号をスピーカ５に出力する。
【００３１】
通信制御部８は、送信モードと受信モードとを切り替えて無線通信を実行する。即ち、通信制御部８は状態検出部１０から入力される通信機器１の状態情報の検出結果に基づいて、通信機器１を送信モードにするか受信モードにするかの制御を行う。本発明に係る第１の実施の形態においては、向き検出部１０Ａにより通信機器１の向きを検出し、表向きに位置した通信機器１を送信モードと設定する。即ち、図３に示す例において通信機器１Ａを送信モードと設定する。一方、裏向きに位置した通信機器１Ｂを受信モードと設定する。このように、通信機器１の向きによって送受信モードを切り替えて設定することが可能である。
【００３２】
状態検出部１０は、加速度センサ９にて検出した通信機器１の加速度を示すデータに基づいて、通信機器１の向きや動きを検出する。状態検出部１０は、検出結果を制御部１３に入力する。即ち、向き検出部１０Ａにより通信機器１が表向きか否かを検出する。また、移動検出部１０Ｂにより通信機器１が移動しているか否か及び移動方向を検出する。
【００３３】
入力部１１は、ユーザからの操作を受信し、その操作を示す信号を生成して制御部１３に入力する。入力部１１は、例えば筐体カバー２Ａから露出するように設けられるボタンでも良いし、タッチパネル３Ａでも良い。
【００３４】
制御部１３は、通信機器１の各部の動作を制御する。即ち、入力部１１から入力される信号に従って、予め記録されたシステム制御プログラム及び各種処理プログラムを起動させることで制御を行う。
【００３５】
図６は、本発明に係る第１の実施の形態における通信機器１の通信制御手順のフローチャートを示す図である。この図６を用いて、通信機器１の通信制御部８が行う通信制御の
手順を説明する。
【００３６】
まず、通信制御部８は、通信アンテナ７にて通信相手の通信機器１を検出したか否かを判別する（ステップＳ１）。即ち、通信機器１の背面１５同士が対向した状態で通信距離内に存在しているか否かを判別する。
【００３７】
ステップＳ１１で判別した結果、通信相手の通信機器１を検出していないと判別した場合（ステップＳ１１のＮｏ）、ステップＳ１１に戻る。一方、通信相手の通信機器１を検出したと判別した場合（ステップＳ１１のＹｅｓ）、次に通信制御部８は検出した状態で所定時間が経過したか否かを判別する（ステップＳ１２）。所定時間とは数秒を想定し、検出した状態が継続することで、偶然に通信機器１が配置されたのではなく、無線通信を行うために通信機器１の背面１５同士を対向させていることを判別する。所定時間の計時は、制御部１３内に内蔵されるクロックを用いて行われるとする。
【００３８】
ステップＳ１２で判別した結果、検出した状態で所定時間が経過していないと判別した場合（ステップＳ１２のＮｏ）、この通信制御手順を終了する。即ち、ステップＳ１１で検出した通信機器１を所定時間経過するまでの間に移動した場合には、無線通信を実行しない。
【００３９】
一方、通信相手の通信機器１を検出した状態で所定時間が経過したと判別した場合（ステップＳ１２のＹｅｓ）、次に通信機器１の向きを検出する（ステップＳ１３）。通信機器１の向きは、加速度センサ９により検出した通信機器１の加速度を示すデータに基づいて、向き検出部１０Ａにて検出する。
【００４０】
次に、通信制御部８は、向き検出部１０Ａの検出結果に基づいて、通信機器１が表向きに位置しているか否かを判別する（ステップＳ１４）。ステップＳ１４で判別した結果、通信機器１が表向きに位置していると判別した場合（ステップＳ１４のＹｅｓ）、通信制御部８は送信モードに切り替える（ステップＳ１５）。次に、通信制御部８は指定フォルダ内のファイルデータを通信相手の通信機器１に対して送信する（ステップＳ１６）。
【００４１】
次に、通信制御部８は、ディスプレイ３にデータの送信状況を表示する（ステップＳ１７）。送信状況とは、単に送信中であることを示すものでも良いし、指定フォルダに格納されているファイルデータの全体量を算出し、送信完了データ量若しくは未送信データ量の割合を示すものでも良い。通信制御部８はデータ送信状況を示す表示を生成させる制御信号を、表示制御部４に対して送信する。表示制御部４は、受信した制御信号に基づいて、データ送信状況を示す映像信号をディスプレイ３に出力する。
【００４２】
次に、通信制御部８は指定フォルダ内のデータの送信が完了したか否かを判別する（ステップＳ１８）。ステップＳ１８で判別した結果、データの送信が完了していないと判別した場合（ステップＳ１８のＮｏ）、上述したステップＳ１３に戻る。一方、データの送信が完了したと判別した場合（ステップＳ１８のＹｅｓ）、この通信制御手順を終了する。
【００４３】
ステップＳ１４で判別した結果、通信機器１が裏向きに位置していると判別した場合（ステップＳ１４のＹｅｓ）、通信制御部８は、通信制御部８は受信モードに切り替える（ステップＳ１９）。次に、通信制御部８は受信したファイルデータを指定ファイルに格納する（ステップＳ２０）。
【００４４】
次に、通信制御部８は、ディスプレイ３にデータの受信状況を表示する（ステップＳ２１）。受信状況とは、単に受信中であることを示すものでも良いし、指定フォルダに格納中の受信完了データ量を示すものでも良い。通信制御部８はデータ受信状況を示す表示を生成させる制御信号を、表示制御部４に対して送信する。表示制御部４は、受信した制御信号に基づいて、データ受信状況を示す映像信号をディスプレイ３に出力する。
【００４５】
尚、このステップＳ２１は省略可能である。即ち、受信モードに設定される通信機器１のディスプレイ３は裏向きであり、ユーザが視認しにくいので、データ受信状況を表示することは行わないとしても良い。
【００４６】
次に、通信制御部８は指定フォルダ内のデータの受信が完了したか否かを判別する（ステップＳ２２）。ステップＳ２２で判別した結果、データの受信が完了していないと判別した場合（ステップＳ２２のＮｏ）、上述したステップＳ１３に戻る。一方、データの受信が完了したと判別した場合（ステップＳ２２のＹｅｓ）、次に通信制御部８はスピーカ５から受信完了音を出力する（ステップＳ２３）。即ち、通信制御部８は、データの受信が完了したと判別すると、受信完了音を生成させる制御信号を、音声制御部６に対して送信する。音声制御部６は受信した制御信号に基づいて、受信完了音を出力する音声信号をスピーカ５に送信する。スピーカ５は、受信した音声信号に基づいて、受信完了音を出力する。以上で、通信制御手順を終了する。
【００４７】
以上のように構成される本発明に係る第１の実施の形態によれば、通信機器１の向きに応じて通信モードを切り替えることによりデータ送受信の簡略化を図ることができる。即ち、無線通信を開始する場合に、通信機器１をそれぞれデータの送信モードと受信モードとに設定する操作なしに、通信機器１を表向き若しくは裏向きにすることで送受信モードを切り替えて設定することができる。
【００４８】
背面１５が鉛直方向の下方向に向いている状態を送信モードとすることで、データを受信する通信機器１Ｂが通信機器１Ａの下側に位置した状態でデータの送受信が行われることになる。通常、物を受け渡す場合には、物を渡す側が上側に位置し、受け取る側が下側に位置する。本発明に係る第１の実施の形態のように、通信機器１の向きと送受信のモードを設定することで、電子データの送受信を物の受け渡しと同様の位置関係で行うことができ、より直感的な操作が実現する。
【００４９】
尚、本発明に係る第１の実施の形態においては、通信機器１の背面１５同士を対向させた状態が所定時間継続すると無線通信を開始するとしたが、これに限られることはない。
【００５０】
即ち、背面１５同士を対向させてから、入力部１１にて所定の操作を行ってから無線通信を開始するとしても良い。ユーザの操作により無線通信を開始することで、よりデータ送受信のセキュリティを上げることができる。
【００５１】
次に、図７を用いて本発明に係る第２の実施の形態について説明する。図７は、本発明に係る第２の実施の形態における通信機器１の通信状態を示す図である。
【００５２】
本発明に係る第２の実施の形態において、第１の実施の形態と異なる点は、通信アンテナ７の配置である。第２の実施の形態における通信アンテナ７の通信方向は、前面１４に対して背面１５と反対側に向かう方向であり、図７に示すＺ軸の負の方向である。このＺ軸に沿って、前面１４同士を対向させた状態で無線通信を実行する。
【００５３】
本発明に係る第２の実施の形態においては、表向きに位置した通信機器１を送信モードと設定する。即ち、図７に示す例において通信機器１Ｄを送信モードと設定する。一方、裏向きに位置した通信機器１Ｃを受信モードと設定する。このように、通信機器１の向きによって送受信モードを切り替えて設定することが可能である。
【００５４】
第２の実施の形態における通信制御の手順は第１の実施の形態と同様であるので説明を省略する。前面１４同士を対向させて無線通信を行うため、データの送受信の実行状況は視認することは出来ないが、受信モードの通信機器１から受信完了音を出力することで、データ送受信の完了を確認することができる。
【００５５】
以上のように構成される第２の実施の形態によれば、表向きに位置した通信機器１を送信モードとすることで、複数の通信機器１間のデータ送受信がよりスムーズに実行される。即ち、表向きに置かれた１つの通信機器１Ｄに対して、データの受信を行う通信機器１を次々に近づけることで、送信モードの通信機器１Ｄを動かす手間なく、複数の通信機器１へデータの送信することが実現する。
【００５６】
第１及び第２の実施の形態においては、通信機器１が表向きである場合に送信モードとするとしたが、これに限定されることはない。即ち、ユーザによって通信機器１の向きと送受信モードを設定可能にしても良い。
【００５７】
次に、図８及び図９を用いて本発明に係る第３の実施の形態について説明する。図８は、本発明に係る第３の実施の形態における通信機器の通信状態を示す図である。第３の実施の形態においては、通信機器１の向きではなく、通信機器１の動きに応じて、送受信モードを切り替える。
【００５８】
図８に示すように、通信機器１Ｅ及び通信機器１Ｆの通信アンテナ７はそれぞれ前面１４から背面１５に向く方向に設けられている。従って、背面１５同士を対向させて無線通信を行うとする。
【００５９】
第３の実施の形態においては、通信制御部８は、移動検出部１０Ｂにより検出される通信機器１の移動及び移動方向を検出し、前面１４から背面１５方向に動いている場合に送信モードに設定する。図８の例においては、通信機器１Ｅが通信機器１Ｆに近づくように、前面１４から背面１５方向に動いているとする。従って、通信機器１Ｅを送信モードと設定する。以降、通信機器１が前面１４から背面１５方向に動いている場合を、通信機器１が前進すると呼ぶ。
【００６０】
次に、図９を用いて通信機器１の動きに応じて送受信モードを切り替える第３の実施の形態について説明する。図９は、本発明に係る第３の実施の形態における通信機器１の通信制御手順のフローチャートを示す図である。
【００６１】
まず、通信制御部８は、通信機器１の動き方向を検出する（ステップＳ３１）。通信機器１の動きは、加速度センサ９により検出した通信機器１の加速度を示すデータに基づいて、移動検出部１０Ｂにて検出する。
【００６２】
次に、通信制御部８は、移動検出部１０Ｂの検出結果に基づいて、通信機器１が前進しているか否かを判別する（ステップＳ３２）。ステップＳ３２で判別した結果、通信機器１が前進していると判別した場合（ステップＳ３２のＹｅｓ）、通信制御部８は送信モードに切り替える（ステップＳ３３）。一方、ステップＳ３２で判別した結果、通信機器１が前進していないと判別した場合（ステップＳ３２のＮｏ）、通信制御部８は受信モードに切り替える（ステップＳ３４）。即ち、移動していない通信機器１や、後進している通信機器１を受信モードと設定する。
【００６３】
次に通信制御部８は、通信アンテナ７にて通信相手の通信機器１を検出したか否かを判別する（ステップＳ３５）。即ち、通信機器１の背面１５同士が対向した状態で通信距離内に存在しているか否かを判別する。
【００６４】
ステップＳ３５で判別した結果、通信相手の通信機器１を検出していないと判別した場合（ステップＳ３５のＮｏ）、ステップＳ３５に戻る。一方、通信相手の通信機器１を検出したと判別した場合（ステップＳ３５のＹｅｓ）、次に通信制御部８は検出した状態で所定時間が経過したか否かを判別する（ステップＳ３６）。所定時間とは数秒を想定し、検出した状態が継続することで、偶然に通信機器１が配置されたのではなく、無線通信を行うために通信機器１の背面１５同士を対向させていることを判別する。
【００６５】
ステップＳ３６で判別した結果、検出した状態で所定時間が経過していないと判別した場合（ステップＳ３６のＮｏ）、この通信制御手順を終了する。即ち、ステップＳ３５で検出した通信機器１を所定時間経過するまでの間に移動した場合には、無線通信を実行しない。
【００６６】
一方、通信相手の通信機器１を検出した状態で所定時間が経過したと判別した場合（ステップＳ３６のＹｅｓ）、次に、通信制御部８は通信相手の通信機器１との間で送受信を行う（ステップ３７）。即ち、送信モードの通信機器１は指定フォルダ内のファイルを通信相手へ送信し、受信モードの通信機器１は受信したファイルを指定フォルダに格納する。
【００６７】
次に、通信制御部８は、ディスプレイ３にデータの送受信状況を表示する（ステップＳ３８）。送受信状況の表示とは、例えば送信開始、送信中、送信完了等を表示するものである。
【００６８】
次に、通信制御部８は指定フォルダ間のデータの送受信が完了したか否かを判別する（ステップＳ３９）。ステップＳ３９で判別した結果、データの送受信が完了していないと判別した場合（ステップＳ３９のＮｏ）、上述したステップＳ３６に戻る。一方、データ
の送受信が完了したと判別した場合（ステップＳ３９のＹｅｓ）、次に通信制御部８はスピーカ５から送受信完了音を出力する（ステップＳ４０）。送受信完了音は、送信側若しくは受信側の通信機器１の少なくとも何れか一方から出力する。送信側若しくは受信側の通信機器１の少なくとも何れか一方の通信制御部８は、データの送受信が完了したと判別すると、送受信完了音を生成させる制御信号を音声制御部６に対して送信する。音声制御部６は受信した制御信号に基づいて、送受信完了音を出力する音声信号をスピーカ５に送信する。スピーカ５は、受信した音声信号に基づいて、送受信完了音を出力する。以上で、通信制御手順を終了する。
【００６９】
以上のように構成される第３の実施の形態によれば、データの送信を行う通信機器１Ｅを通信機器１Ｆに近づけるだけで、送信モードに設定することができる。即ち、通信機器１の向きのみならず通信機器１を所持するユーザの動作により、通信機器１の送受信モードの切替を行うことができる。
【００７０】
尚、第３の実施の形態においては通信機器１を前進させる動作により送信モードを設定するとしたが、これに限定されることは無い。即ち、加速度センサ９により検出される通信機器１の動きや振動に対応付けて、送受信モードを設定することができる。
【００７１】
尚、本発明は上記実施の形態そのままに限定されるものではなく、実施段階ではその要旨を逸脱しない範囲で構成要素を変形して具現化できる。また、上記実施の形態に開示されている複数の構成要素の適宜な組み合わせにより、種々の発明を形成できる。例えば、実施の形態に示される全構成要素から幾つかの構成要素を削除してもよい。更に異なる実施の形態にわたる構成要素を適宜組み合わせても良い。
【符号の説明】
【００７２】
１…通信機器、２…筐体、２Ａ…筐体カバー、２Ｂ…筐体ベース、３…ディスプレイ、３Ａ…タッチパネル、４…表示制御部、５…スピーカ、６…音声制御部、７…通信アンテナ、８…通信制御部、９…加速度センサ、１０…状態検出部、１０Ａ…向き検出部、１０Ｂ…移動検出部、１１…入力部、１２…ＨＤＤ、１３…制御部、１４…前面、１５…背面。
【図１】
2011193499.tif 000003
【図２】
2011193499.tif 000004
【図３】
2011193499.tif 000005
【図４】
2011193499.tif 000006
【図５】
2011193499.tif 000007
【図６】
2011193499.tif 000008
【図７】
2011193499.tif 000009
【図８】
2011193499.tif 000010
【図９】
2011193499.tif 000011